【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
頭部固定装置において、
患者の頭部周囲に配置することができる頭蓋骨クランプであって、第１端と、前記第１端に対向する第２端と、を備えている頭蓋骨クランプと、
前記頭蓋骨クランプの前記第１端に設けられている第１頭蓋骨ピンと、前記頭蓋骨クランプの前記第２端に設けられている第２頭蓋骨ピンであって、前記第１頭蓋骨ピンと前記第２頭蓋骨ピンは、軸線に沿って相対して整列していて、前記第１頭蓋骨ピンと前記第２頭蓋骨ピンのうちの少なくとも一方は、前記頭蓋骨クランプが前記患者の頭部周囲に配置されているときに前記第１頭蓋骨ピンと前記第２頭蓋骨ピンが前記患者の頭部に係合及び該頭部から係合解除されるように、前記第１端と前記第２端に対して可動である、第１頭蓋骨ピン及び第２頭蓋骨ピンと、
円弧頭蓋骨ピンを備えている頭蓋骨クランプ円弧組立体であって、前記頭骸骨クランプ円弧組立体は、前記円弧頭蓋骨ピンが前記軸線からオフセットするようにして、前記頭蓋骨クランプの前記第１端と前記第２端のうちの一方から伸張しており、前記頭蓋骨クランプ円弧組立体は、前記円弧頭蓋骨ピンが前記頭蓋骨クランプ円弧組立体の運動によって前記患者の頭部に係合及び該頭部から係合解除される働きをするように、前記頭蓋骨クランプの前記第１端と前記第２端に対して可動である、頭蓋骨クランプ円弧組立体と、を備えている頭部固定装置。
【請求項２】
前記頭蓋骨クランプの前記第１端と前記第２端のうち前記頭蓋骨クランプ円弧組立体が伸張している前記一方は、前記頭蓋骨クランプ円弧組立体を前記第１端と前記第２端のうちの前記一方に固定する働きをする係止組立体を備えており、
前記係止組立体は、係止プレートと、Ｏリングと、スナップリングと、を備えている、請求項１に記載の頭部固定装置。
【請求項３】
前記係止プレートは、前記頭蓋骨クランプの前記第１端と前記第２端のうち前記頭蓋骨クランプ円弧組立体が伸張している前記一方に固定されて、前記頭蓋骨クランプ円弧組立体を支持する働きをし、且つ、支柱と、前記支柱の端部に近接して設けられている陥凹と、を備えており、
前記Ｏリングは、前記係止プレートの前記支柱の周囲に配置することができ、前記頭蓋骨クランプ円弧組立体の前記係止プレートに対する運動を容易にする働きをし、
前記スナップリングは、前記係止プレートの前記陥凹に固定されて、前記頭蓋骨クランプ円弧組立体を前記係止プレートの前記支柱に固定する働きをする、請求項２に記載の頭部固定装置。
【請求項４】
前記頭蓋骨クランプ円弧組立体は、前記頭蓋骨クランプ円弧組立体が前記軸線周りに回転するように、前記第１端と前記第２端に対して回転させることができる、請求項１に記載の頭部固定装置。
【請求項５】
前記頭蓋骨クランプ円弧組立体は、前記頭蓋骨クランプが前記患者の頭部周囲に配置されているときに、前記円弧頭蓋骨ピンが前記患者の頭部に係合及び該頭部から係合解除されるために前記軸線に向かって及び前記軸線から離れる方向へ枢動するように、前記前記第１端と前記第２端に対して枢動させることができる、請求項１に記載の頭部固定装置。
【請求項６】
前記頭蓋骨クランプ円弧組立体は、前記円弧頭蓋骨ピンが前記軸線に対して枢動できるように、複数の枢軸点を含んでいる、請求項５に記載の頭部固定装置。
【請求項７】
前記頭蓋骨クランプ円弧組立体は、前記円弧頭蓋骨ピンが前記複数の枢軸点のうちの少なくとも１つの周りに前記軸線から離れた最大枢動位置まで枢動すると、前記頭蓋骨クランプ円弧組立体が前記軸線周りに回転するように、前記第１端と前記第２端に対して回転させることができる、請求項６に記載の頭部固定装置。
【請求項８】
前記頭蓋骨クランプ円弧組立体は、
前記第１端と前記第２端のうち前記頭蓋骨クランプ円弧組立体が伸張している前記一方に固定することができる揺動案内組立体と、
前記揺動案内組立体に第１枢軸点で固定することができ、前記第１枢軸点周りに前記軸線に向かって及び前記軸線から離れる方向へ枢動できる下揺動組立体と、
前記下揺動組立体に第２枢軸点で固定することができ、前記第２枢軸点周りに前記軸線に向かって及び前記軸線から離れる方向へ枢動できる上揺動組立体と、を備えている、請求項５に記載の頭部固定装置。
【請求項９】
前記揺動案内組立体は、前記下揺動組立体と前記上揺動組立体のうちの少なくとも一方が前記第１枢軸点と前記第２枢軸点の周りにそれぞれ前記軸線から離れた最大枢動位置まで枢動すると、前記頭蓋骨クランプ円弧組立体が前記軸線周りに回転するように、前記第１端と前記第２端に対して回転させることができる、請求項８に記載の頭部固定装置。
【請求項１０】
前記揺動案内組立体は、本体と、係止ピンと、前記係止ピンを少なくとも部分的に収容している前記本体の窪みと、前記係止ピンと係合する係止レバーと、前記係止レバーに係合及び該係止レバーから係合解除されるように動くことができるカムと、前記本体を通るチャネルであって、該チャネルを通して、前記揺動案内組立体を前記頭蓋骨クランプの前記第１端と前記第２端のうちの前記一方に固定することができるチャネルと、を備えている、請求項８に記載の頭部固定装置。
【請求項１１】
前記揺動案内組立体は、前記下揺動組立体が前記第１枢軸点周りに前記軸線から離れた最大枢動位置まで枢動すると、前記係止ピンが非係止状態へ動き、これにより、前記頭蓋骨クランプ円弧組立体を、前記頭蓋骨クランプ円弧組立体が前記軸線周りに回転するように、前記第１端と前記第２端に対して回転できるようにする働きをし、
前記揺動案内組立体は、前記下揺動組立体が前記第１枢軸点周りに前記最大枢動位置以外の枢動位置まで枢動すると、前記係止ピンが係止状態に維持され、これにより、前記頭蓋骨クランプ円弧組立体を、前記第１端と前記第２端に対して回転できないようにする働きをする、請求項１０に記載の頭部固定装置。
【請求項１２】
前記下揺動組立体は、下揺動円弧及び爪レバーを備えている、請求項８に記載の頭部固定装置。
【請求項１３】
前記下揺動円弧は、前記第１枢軸点周りに枢動でき、
前記爪レバーは、前記上揺動組立体が前記第２枢軸点周りに枢動できる非係止状態と、前記上揺動組立体が前記第２枢軸点周りに枢動できない係止状態の間で動かすことができる、請求項１２に記載の頭部固定装置。
【請求項１４】
前記上揺動組立体は、前記円弧頭蓋骨ピンを受け入れて支持する働きをする上揺動円弧を備えている、請求項１３に記載の頭部固定装置。
【請求項１５】
前記円弧頭蓋骨ピンは、前記上揺動円弧が前記第２枢軸点周りに前記軸線に向かって枢動すると前記患者の頭部に係合し、前記上揺動円弧が前記第２枢軸点周りに前記軸線から離れる方向へ枢動すると前記患者の頭部から係合解除される働きをする、請求項１４に記載の頭部固定装置。
【請求項１６】
前記円弧頭蓋骨ピンは、前記円弧頭蓋骨ピンが支持されている前記上揺動円弧に対して、前記上揺動円弧から独立して動かすことができる、請求項１５に記載の頭部固定装置。
【請求項１７】
前記第１頭蓋骨ピンと前記第２頭蓋骨ピンは、それぞれに、前記頭蓋骨クランプが前記患者の頭部周囲に配置されたとき前記患者の頭部に係合及び該頭部から係合解除される働きをする先端と、前記先端を支持する働きをするプランジャと、前記プランジャと前記先端の運動を制御する働きをするプランジャ案内部と、前記プランジャ案内部の運動を前記プランジャと前記先端に移す働きをする圧縮ばねと、前記頭蓋骨クランプが前記患者の頭部周囲に配置されたとき、前記先端によって前記患者の頭部に与えられている圧迫力を示す働きをする表示器と、を備えている、請求項１に記載の頭部固定装置。
【請求項１８】
前記頭部固定装置は、前記頭蓋骨クランプの前記第１端と前記第２端から伸張する複数の頭蓋骨クランプ円弧組立体を備えている、請求項１に記載の頭部固定装置。
【請求項１９】
前記頭蓋骨クランプ円弧組立体が、
前記頭蓋骨クランプの前記第１端、及び前記頭蓋骨クランプの前記第１端と第２端との間に回転可能に固定された揺動案内組立体であって、前記第１頭蓋骨ピンが前記揺動案内組立体を通って伸張しており、前記揺動案内組立体が、前記軸線の周囲を回転可能である、揺動案内組立体と、
枢動点で前記揺動案内組立体に固定可能及び前記揺動案内組立体から伸張している揺動組立体であって、前記揺動組立体が前記枢動点の周囲を前記軸線に向かって及び前記軸線から離れて枢動し、前記円弧頭蓋骨ピンが前記揺動組立体の先端から伸張し、前記軸線からオフセットしており、前記円弧頭蓋骨ピンが前記揺動組立体と共に前記軸線に向かって及び前記軸線から離れて枢動可能である、揺動組立体と
をさらに備えてなる、請求項１に記載の頭部固定装置。
【請求項２０】
前記揺動組立体が、前記枢動点周りに、前記軸線が通る平面内で、前記軸線に向かって、及び前記軸線から離れる方向へ枢動でき、
前記円弧頭蓋骨ピンが、前記揺動組立体と共に、前記軸線が通る平面内で、前記軸線に向かって、及び前記軸線から離れる方向へ枢動できる、請求項１９に記載の頭部固定装置。
【請求項２１】
前記円弧頭蓋骨ピンが、前記頭蓋骨クランプ円弧組立体の先端を通って螺合されている、請求項１９に記載の頭部固定装置。
【請求項２２】
前記円弧頭蓋骨ピンが、当該円弧頭蓋骨ピンの圧迫力を示す働きをする圧迫力表示器を備えている、請求項１に記載の頭部固定装置。
【請求項２３】
前記円弧頭蓋骨ピンが、回転ノブと、該ノブの回転に応答してプランジャに力を及ぼす圧縮ばねと、患者の頭蓋骨に対して圧迫力を減少させて及び加えて圧迫力を及ぼす、前記プランジャに支持され得る先端とを含んでなる、請求項１に記載の頭部固定装置。
【請求項２４】
前記頭蓋骨クランプ円弧組立体が伸張している前記頭蓋骨クランプの前記第１端が、前記頭蓋骨クランプ円弧組立体が回転しないように固定するための係止組立体を含んでなる、請求項１に記載の頭部固定装置。
【請求項２５】
前記頭蓋骨クランプが、前記頭蓋骨クランプ円弧組立体、前記第１及び第２頭蓋骨ピンとは独立して回転することができる、請求項１に記載の頭部固定装置。
【請求項２６】
頭部固定装置において、
患者の頭部周囲に配置することができる頭蓋骨クランプであって、第１端と、前記第１端に対向する第２端と、を備えている頭蓋骨クランプと、
前記頭蓋骨クランプの前記第１端に設けられている第１頭蓋骨ピンと、前記頭蓋骨クランプの前記第２端に設けられている第２頭蓋骨ピンであって、前記第１頭蓋骨ピンと前記第２頭蓋骨ピンは、軸線に沿って相対して整列していて、前記第１頭蓋骨ピンと前記第２頭蓋骨ピンのうちの少なくとも一方は、前記頭蓋骨クランプが前記患者の頭部周囲に配置されているときに前記第１頭蓋骨ピンと前記第２頭蓋骨ピンが前記患者の頭部に係合及び該頭部から係合解除されるように、前記第１端と前記第２端に対して可動である、第１頭蓋骨ピン及び第２頭蓋骨ピンと、
円弧頭蓋骨ピンを備えている頭蓋骨クランプ円弧組立体であって、前記頭骸骨クランプ円弧組立体は、前記円弧頭蓋骨ピンが前記軸線からオフセットするようにして、前記頭蓋骨クランプの前記第１端と前記第２端のうちの一方から伸張しており、前記頭蓋骨クランプ円弧組立体は、前記頭蓋骨クランプ円弧組立体が前記軸線周りに回転するように、前記第１端と前記第２端に対して回転させることができ、前記頭蓋骨クランプ円弧組立体は、前記円弧頭蓋骨ピンが前記軸線に向かって及び前記軸線から離れる方向へ枢動するように、前記第１端と前記第２端に対して枢動させることができる、頭蓋骨クランプ円弧組立体と、を備えている頭部固定装置。
【請求項２７】
患者の頭部を固定する方法において、
前記患者の頭部を固定する働きをする頭部固定装置を提供する段階であって、
第１端と、前記第１端に対向する第２端と、を備えている頭蓋骨クランプと、
前記頭蓋骨クランプの前記第１端に設けられている第１頭蓋骨ピンと、前記頭蓋骨クランプの前記第２端に設けられている第２頭蓋骨ピンであって、軸線に沿って相対して整列している、第１頭蓋骨ピン及び第２頭蓋骨ピンと、
円弧頭蓋骨ピンを備えている頭蓋骨クランプ円弧組立体であって、前記円弧頭蓋骨ピンが前記軸線からオフセットするようにして、前記頭蓋骨クランプの前記第１端と前記第２端のうちの一方から伸張している、頭蓋骨クランプ円弧組立体と、を備えている前記頭部固定装置を、提供する段階と、
前記頭部固定装置を前記患者の頭部周囲に、前記頭蓋骨クランプの前記第１端と前記第２端が前記患者の頭部周囲に配置されるように、配置する段階と、
前記第１頭蓋骨ピンと前記第２頭蓋骨ピンのうちの少なくとも一方を、前記第１頭蓋骨ピンと前記第２頭蓋骨ピンが前記患者の頭部の第１の側と第２の側に係合するように、前記頭蓋骨クランプの前記第１端と前記第２端に対して動かす段階と、
前記頭蓋骨クランプ円弧組立体を、前記頭蓋骨クランプ円弧組立体が前記軸線周りに回転して前記円弧頭蓋骨ピンを前記患者の頭部の第３の側の上に選択的に配置するように、前記第１端と前記第２端に対して回転させる段階と、
前記頭蓋骨クランプ円弧組立体を、前記円弧頭蓋骨ピンが枢動して前記患者の頭部の前記第３の側に係合するように、前記第１端と前記第２端に対して枢動させる段階と、から成り、
前記患者の頭部の前記第１の側、前記第２の側、前記第３の側に、前記第１頭蓋骨ピン、前記第２頭蓋骨ピン、及び前記円弧頭蓋骨ピンをそれぞれ係合させることにより、前記患者の頭部が十分に固定される、方法。